(57)【特許請求の範囲】
【請求項１】
外周にネジを刻設した雄ねじ部１と、
雄ねじ部１に螺合する雌ねじ３を内周に刻設したナット部材２と、
から構成した締め付けナットにおいて、
前記ナット部材２の外周に中心軸方向且つ直線状に凸設される回り止めリブ４を構成し、
外周を多角形状に形成し、締め付けナット自身に付与されたトルクを、ナット部材２に伝達させて付与させる、
ナット部材２の回り止めリブ４の凸に沿うように溝状に凹設された凹溝８、
凹溝８の上端部から中間位置まで切り欠き構成されたスリット９、
をそれぞれ構成した手締め専用の補助アダプター７を備え、
前記雄ねじ部１とナット部材２の螺合する場合は、任意のトルク値に達するとナット部材２の回り止めリブ４に対して補助アダプター７の凹溝８が空回りするように構成し、更に、雄ねじ部１とナット部材２の螺合を解除する場合は螺合と逆回転に補助アダプター７を空回り無く回転させてナット部材２の螺合を解除するよう構成したことを特徴とする締め付けナット。
【請求項２】
前記回り止めリブ４を、断面視回り止めリブ４の頂部からナット部材２の回転方向側端部は直角から鋭角とし、更に回り止めリブ４の頂部からナット部材２の逆回転方向側端部はなだらかにナット部材２の外周面に連続するカーブ５となるように回り止めリブ４を構成したことを特徴とする請求項１に記載の締め付けナット。
【請求項３】
前記ナット部材２に、補助アダプター７が抜脱しないよう抜け止めリブ１６を構成したことを特徴とする請求項１又は請求項２に記載の締め付けナット。
【請求項４】
前記雄ねじ部１を、槽体１０の排水を下水へと排水するために排水口１１に接続される排水栓１２の外周に備えたことを特徴とする請求項１乃至請求項３のいずれか一つに記載の締め付けナット。
【発明の詳細な説明】
【技術分野】
【０００１】
本発明は、トルク管理不要の締め付けナットに関するものである。
【背景技術】
【０００２】
従来よく知られた、締め付けナットとしては、例えば図１２乃至図１４に図示した締め付けナットがある。以下に図１２乃至図１４に図示した締め付けナットの従来例を、図面を参照しつつ説明する。
図１２乃至図１４に図示した従来例の締め付けナットは、以下に記載した雄ねじ部、ナット部材、から構成される。
雄ねじ部は、外周にネジを螺旋状に刻設して構成して成る。
ナット部材は、雄ねじ部に螺合する雌ねじを内周に刻設して構成して成り、本従来例では、上端に側面方向に延出して構成されるフランジを備えて構成される。また、一般的にはフランジ付ナットとよばれるナットで構成される。
また、本従来例では、締め付けナットは図示のように洗面化粧台の排水管の接続用締め付けナットとして用いられる。
当該従来例の洗面化粧台は、以下の槽体と、排水口と、排水栓と、水密部材と、排水管と、排水トラップの構成を備える。
槽体は、内部に水を貯水／排水するための箱体であり、底部に開口を構成している。
排水栓は、槽体の開口に取り付けられる部材であって、円筒状であって、上端から外側方向に向かって凸出して構成されるフランジを構成し、その外周下端付近に前記した締め付けナットの雄ねじ部を構成する。
水密部材は、リング状で断面視三角形状であって、ゴム等の弾性部材から構成されて、排水管と排水栓の継ぎ目部分の水密化を行う部材である。
排水管は、排水栓に接続される管体であって、槽体内の排水を最終的には下水管へと排水するための管体である。
排水トラップは、排水管の途中部位に備えられ、排水管をＵ字状に屈曲して構成され、当該屈曲部分内部に排水を常時貯留して封水とし、下水からの臭気や害虫の逆流を防止する部材である。
このように構成した締め付けナットは以下のようにして槽体に施工される。
槽体の排水口に排水栓のフランジを係止させ、槽体の下面から排水栓に水密部材を介して、前記締め付けナットのナット部材を排水栓の雄ねじ部に螺合させる。このとき、ナット部材に加わる回転の力（以下、「トルク」と記載）を一定位置まで達成させるため、トルクレンチ・トルクゲージなどを用いて計測しつつナット部材を締め付ける。
そうすると、槽体の排水口に係止された排水栓のフランジと、槽体下面からのナット部材とで、排水口挟持する形で槽体の排水口と排水栓を接続する。このとき、ナット部材を締め付けると、フランジナットのフランジ部分が三角形状の水密部材を上方へ押し上げ、排水口と水密部材の三角形状斜面が当接する。そして水密部材が排水口に当接するので水密部材が内方に縮径し、排水栓及び排水口からの漏水を防止する。以上で締め付けナットの施工が完了する。
【０００３】
このように施工された従来の締め付けナットを解除する場合は、槽体下面に位置する排水配管の締め付けナットを、締め付け方向とは逆方向にナット部材を回転させることで、締め付けナットを解除することができる。
【０００４】
【特許文献１】実公昭５５−２０８６５号公報
【特許文献２】実開平２−７００６４号公報
【特許文献３】実開平２−７２８６５号公報
【発明の開示】
【発明が解決しようとする課題】
【０００５】
従来例のような締め付けナットは、以下のような問題点があった。
通常、洗面化粧台は、槽体の下方にキャビネット部と呼ばれる扉のついた収納空間が設けられる。通常、これらのキャビネット部は狭くて暗いことが多く、施工者は、この狭くて暗いキャビネット部に入り込んで、トルクレンチやトルクゲージを用いて、締め付けナットの施工を行っていた。このような状況下であると、施工者がトルクゲージやトルクレンチを用いて締め付けナットの締め付けを行うことが非常に難しい上に手間であり、更には暗所で締め付けるため、トルクゲージの誤認をしてしまったりなどの施工上の不具合が発生していた。
また、施工上の作業が煩わしいことから、トルクレンチやトルクゲージを用いずに人の手で締める、いわゆる「手締め専用ナット」と呼ばれるものもある。しかし、このような手締め専用の締め付けナットにおいてはトルク管理を行うことができないため、特に排水管など、漏水すると重大な不具合や損害を被る恐れの高い箇所に用いることは適さなかった。
【０００６】
従って、本発明の締め付けナットは、以下の課題を解決するために発明された。
１．トルクレンチ・トルクゲージを用いずともトルク管理を行うことができること。
２．省施工であること。
３．漏水などの危険性がないこと。
４．嵌め殺しではなく、ねじ螺合の解除を行うことができること。
【課題を解決するための手段】
【０００７】
請求項１に記載の本発明は、外周にネジを刻設した雄ねじ部１と、雄ねじ部１に螺合する雌ねじ３を内周に刻設したナット部材２と、から構成した締め付けナットにおいて、前記ナット部材２の外周に中心軸方向且つ直線状に凸設される回り止めリブ４を構成し、外周を多角形状に形成し、締め付けナット自身に付与されたトルクを、ナット部材２に伝達させて付与させる、ナット部材２の回り止めリブ４の凸に沿うように溝状に凹設された凹溝８、凹溝８の上端部から中間位置まで切り欠き構成されたスリット９、をそれぞれ構成した手締め専用の補助アダプター７を備え、前記雄ねじ部１とナット部材２の螺合する場合は、任意のトルク値に達するとナット部材２の回り止めリブ４に対して補助アダプター７の凹溝８が空回りするように構成し、更に、雄ねじ部１とナット部材２の螺合を解除する場合は螺合と逆回転に補助アダプター７を空回り無く回転させてナット部材２の螺合を解除するよう構成したことを特徴とする締め付けナットである。
【０００８】
請求項２に記載の本発明は、前記回り止めリブ４を、断面視回り止めリブ４の頂部からナット部材２の回転方向側端部は直角から鋭角とし、更に回り止めリブ４の頂部からナット部材２の逆回転方向側端部はなだらかにナット部材２の外周面に連続するカーブ５となるように回り止めリブ４を構成したことを特徴とする前記段落０００７に記載の締め付けナットである。
【０００９】
請求項３に記載の本発明は、前記ナット部材２に、補助アダプター７が抜脱しないよう抜け止めリブ１６を構成したことを特徴とする前記段落０００７又は段落０００８に記載の締め付けナットである。
【００１０】
請求項４に記載の本発明は、前記雄ねじ部１を、槽体１０の排水を下水へと排水するために排水口１１に接続される排水栓１２の外周に備えたことを特徴とする前記段落０００７乃至段落０００９のいずれか一つに記載の締め付けナットである。
【発明の効果】
【００１２】
本発明の締め付けナットは、以下の効果を奏する。
請求項１及び請求項２に記載の本発明は、雄ねじ部１とナット部材２を螺合させる場合に、任意のトルク値に達するとナット部材２に対して補助アダプター７が空回りするように構成するとともに、雄ねじ部１とナット部材２の螺合を解除する場合は螺合と逆回転に補助アダプター７を空回り無く回転させてナット部材２の螺合を解除するよう構成したことから、トルクゲージやトルクレンチを用いることなく、適正トルクで締め付けることが可能となる。
また、トルクレンチやトルクゲージを用いなくてもすむことから、簡単に締め付けナットを締め付けることができる。
また、水密化に必要な締め付けトルクまでは回転させることができるから、従来の手締め専用ナットと比較して漏水の危険性もない。
また、ねじの螺合解除は簡単に行うことができる。
請求項１及び請求項２に記載の本発明は、回り止めリブ３を、断面視回り止めリブ３の頂部からナット部材２の回転方向側端部は直角から鋭角とし、更に回り止めリブ３の頂部からナット部材２の逆回転方向側端部はなだらかにナット部材２の外周面に連続するカーブ５となるように回り止めリブ３を構成した。また補助アダプター７を、ナット部材２の回り止めリブ３の凸に沿うように溝状に凹設された凹溝８と、凹溝８の上端部から中間位置まで切り欠き構成されたスリット９と、から構成した。これによって、適正トルク値に達するまでは、ナット部材２の回り止めリブ３が補助アダプター７の凹溝８に合致し、補助アダプター７の回転に併せてナット部材２を回転させて、雄ねじ部１と雌ねじ３を螺合させることができる上、適正トルク値に達すると、ナット部材２の回り止めリブ３が補助アダプター７の凹溝８のカーブ５に引っ掛かって、ナット部材２のスリット９が撓み、スリット９の撓みから回り止めリブ３が補助アダプター７の凹溝８のカーブ５を乗りこえて、補助アダプター７がナット部材２に対し空回りするため、それ以上ナット部材２を締め付けることを防止することができる。
また、締め付けを解除するために補助アダプター７を螺合とは逆方向に回転させると、ナット部材２の回り止めリブ３が補助アダプター７の凹溝８の直角部６部分に係止するので、補助アダプター７が空回りすることなくナット部材２を締め付けることができる。
請求項３に記載の本発明は、補助アダプター７が抜脱しないよう抜け止めリブ１６を構成したことから、補助アダプター７がナット部材２から抜脱することがないので、施工をしやすくすることができる。
請求項４に記載の本発明は、槽体１０の排水を下水へと排水するために排水口１１に接続される排水栓１２の外周に備えたことから、特にキャビネット部１７などの狭い箇所でおいて施工しやすくすることができる。
請求項１に記載の本発明は、補助アダプター７を手締め専用としたことから、トルクゲージやトルクレンチを用いることなく施工することができる。
【実施例】
【００１３】
以下に本発明の実施例を、図面を参照しつつ説明する。
図１乃至図９に図示した本実施例の締め付けナットは、以下に記載した雄ねじ部１、ナット部材２、補助アダプター７、から構成されてなる。
雄ねじ部１は、図２乃至図５に示したように、外周にネジを螺旋状に刻設して構成して成る。
ナット部材２は、図６又は図７に示したように、雄ねじ部１に螺合する雌ねじ３を内周に刻設して構成して成り、外周に中心軸方向且つ直線状に凸設される回り止めリブ３を構成する。本実施例では、上端に側面方向に延出して構成されるフランジを備えて構成される。また、一般的にはフランジ付ナットとよばれるナットで構成される。また、図６又は図７にも記載されているように、前記回り止めリブ３は、回り止めリブ３の頂部からナット部材２の逆回転方向側端部はナット部材２の外周面になだらかに連続するカーブ５となる形状で構成して成る。
補助アダプター７は、ナット部材２外周に配置されるリング状の部材であって、図８又は図９に示したように、その内周に構成された、前記ナット部材２の回り止めリブ３の凸に沿うように溝状に凹設された凹溝８と、凹溝８の上端部から中間位置まで切り欠き構成されたスリット９を構成してなる。
また、本実施例では、上記の締め付けナットは、図１に示す洗面化粧台の排水管１４の接続用締め付けナットとして用いられる。
当該実施例の洗面化粧台は、以下の槽体１０と、排水口１１と、排水栓１２と、水密部材１３と、排水管１４と、排水トラップ１５の構成を備える。
槽体１０は、内部に水を貯水／排水するための箱体であり、底部に開口を構成している。
排水栓１２は、槽体１０の開口に取り付けられる部材であって、円筒状であって、上端から外側方向に向かって凸出して構成されるフランジを構成し、その外周下端付近に前記した締め付けナットの雄ねじ部１を構成する。
水密部材１３は、リング状で断面視三角形状であって、ゴム等の弾性部材から構成されて、排水管１４と排水栓１２の継ぎ目部分の水密化を行う部材である。
排水管１４は、排水栓１２に接続される管体であって、槽体１０内の排水を最終的には下水管へと排水するための管体である。
排水トラップ１５は、排水管１４の途中部位に備えられ、排水管１４をＵ字状に屈曲して構成され、当該屈曲部分内部に排水を常時貯留して封水とすることで、下水からの臭気や害虫の逆流を防止する部材である。
【００１４】
前記のように構成した締め付けナットは以下のようにして槽体１０に施工される。
槽体１０の排水口１１に排水栓１２のフランジを係止させ、槽体１０の下面から排水栓１２に水密部材１３を介して、前記締め付けナットのナット部材２を排水栓１２の雄ねじ部１に螺合させる。このとき、ナット部材２の外周に配置された補助アダプター７を螺合方向に手締めで回転させる。尚、このときの回転方向は図５では左回転方向が締め付け方向となる。当該実施例では下側方向から上側方向へ締め付ける締め付けナットであるため、上方からの図面上は左回転が締め付け方向となる。そうすると、補助アダプター７の凹溝８にナット部材２の回り止めリブ３が合致しているので、補助アダプター７の回転に併せてナット部材２も螺合方向に回転する。このようにすることで、雄ねじ部１に対し、締め付けトルクを加えることができる。そして、その後にトルク値が一定の適正な値に達した際は、回り止めリブ３のカーブ５部分が補助アダプター７の凹溝８のカーブ５部分に当接し、補助アダプター７のスリット９が撓んで回り止めリブ３が凹溝８を乗り越えるようになる。このような状態になれば、補助アダプター７を螺合方向にいくら回転させても、回り止めリブ３が凹溝８に合致せずに乗り越えるため、ナット部材２は回転せず、それ以上締め付けトルクが加わらないようになる。
そうすると、槽体１０の排水口１１に係止された排水栓１２のフランジと、槽体１０下面からのナット部材２とで、排水口１１挟持する形で槽体１０の排水口１１と排水栓１２を接続する。このとき、ナット部材２を締め付けると、フランジナットのフランジ部分が三角形状の水密部材１３を上方へ押し上げ、排水口１１と水密部材１３の三角形状斜面が当接する。そして水密部材１３が排水口１１に当接するので水密部材１３が内方に縮径し、排水栓１２及び排水口１１からの漏水を防止する。以上で締め付けナットの施工が完了する。
【００１５】
このように施工された本発明の締め付けナットを解除する場合は、槽体１０下面に位置する排水配管の締め付けナットを、締め付け方向とは逆方向に補助アダプター７を手締めで回転させる。尚、このときの回転方向は図５では右回転方向が締め付け解除方向となる。当該実施例では下側方向から上側方向へ締め付ける締め付けナットであるため、上方からの図面上は右回転が締め付け解除方向となる。そうすると、補助アダプター７の直角部６の凹溝８と、ナット部材２の直角部６の回り止めリブ３が合致し、補助アダプター７の螺合方向とは逆方向の回転に併せて、ナット部材２が回転する。また、締め付けナットが適正トルクに達して螺合方向には空回りしているときでも、螺合とは逆方向のナット部材２の回り止めリブ３及び補助アダプター７の凹溝８が直角になっていることから、螺合方向のナット部材２の回り止めリブ３及び補助アダプター７の凹溝８のカーブ５形状と比較して、より強い力で直角同士が係止することができる。このため、補助アダプター７の螺合とは逆方向の回転に併せてナット部材２を回転させることもできるので、簡単に締め付けナットを解除することができる。
【００１６】
本発明の実施例は上記のようであるが、本発明は上記実施例に限定されることなく、発明の要旨を逸脱することない範囲において、自在に変更することができる。
例えば、前記実施例では槽体１０を洗面化粧台を使用しているが、例えば浴槽に用いても構わない。
また、前記実施例では補助アダプター７の抜け止めについては何ら記載していないが、抜け止めの機構として例えば図１０に示すようにナット部材２の端部から外側方向にリブを飛び出すように構成してもよい。（このときの端部方向は、ナット部材２が抜脱しない方向の端部を示す）このような場合であれば、ナット部材２に対して補助アダプター７が抜脱しないので、施工時に補助アダプター７を紛失したりすることなく、また、メンテナンスの際も締め付けナットの解除・施工が容易となる。
また、前記実施例では、洗面化粧台の排水栓１２の接続に当該発明の締め付けナットを用いているが、このほか、例えば管体同士の接続などに用いても良い。
また、前記実施例では、締め付けナットのナット部材２をフランジ付きナットを用いているが、このほかにも例えば図１１に示したような袋ナットなどに用いても構わない。
【図面の簡単な説明】
【００１７】
【図１】本発明の締め付けナットを施工した洗面化粧台の施工状態を示す断面図である。
【図２】（ａ）本発明の締め付けナットの一部省略した部分断面図である。（ｂ）本発明の締め付けナットの一部省略した部分側面図である。
【図３】本発明の締め付けナットを一部省略した部分斜視図である。
【図４】本発明の締め付けナットを一部切り欠いた部分斜視図である。
【図５】本発明の締め付けナットの、図２（ｂ）におけるＡ−Ａ’断面図である。
【図６】本発明の締め付けナットのナット部材を示す、図２（ｂ）におけるＡ−Ａ’断面時での斜視図である。
【図７】（ａ）本発明の締め付けナットのナット部材を示す、図２（ｂ）におけるＡ−Ａ’断面図である。（ｂ）本発明の締め付けナットのナット部材を示す、図２（ｂ）におけるＡ−Ａ’断面時での側面図である。
【図８】本発明の締め付けナットの補助アダプターを示す斜視図である。
【図９】（ａ）本発明の締め付けナットの補助アダプターを示す上面図である。（ｂ）本発明の締め付けナットの補助アダプターを示す側面図である。
【図１０】本発明の締め付けナットのその他の実施例を示す断面図である。
【図１１】本発明の締め付けナットのその他の実施例を示す断面図である。
【図１２】従来の締め付けナットを示す断面図である。
【図１３】従来の締め付けナットを示す断面図である。
【図１４】従来の締め付けナットを示す断面図である。
【符号の説明】
【００１８】
１    雄ねじ部
２    ナット部材
３    雌ねじ
４    回り止めリブ
５    カーブ
６    直角部
７    補助アダプター
８    凹溝
９    スリット
１０  槽体
１１  排水口
１２  排水栓
１３  水密部材
１４  排水管
１５  排水トラップ
１６  抜け止めリブ
１７  キャビネット部
【図１】
0004686674.tif 000002
【図２】
0004686674.tif 000003
【図３】
0004686674.tif 000004
【図４】
0004686674.tif 000005
【図５】
0004686674.tif 000006
【図６】
0004686674.tif 000007
【図７】
0004686674.tif 000008
【図８】
0004686674.tif 000009
【図９】
0004686674.tif 000010
【図１０】
0004686674.tif 000011
【図１１】
0004686674.tif 000012
【図１２】
0004686674.tif 000013
【図１３】
0004686674.tif 000014
【図１４】
0004686674.tif 000015